(57)【要約】      （修正有）【課題】ミラーを精度よくかつ簡単に位置決め可能なカメラを提供する。【解決手段】撮影光学系２１から入射する被写体光を所定方向に導くための反射面３１Ｒ，３２Ｒを有するミラー３１，３２と、前記ミラー３１，３２を保持した状態で前記カメラ筐体１０に対して揺動し、前記ミラー３１，３２を前記被写体光の光路内と光路外との間で移動させるミラー支持部材３３，３６と、を備え、前記ミラー支持部材３３，３６は、前記ミラー３１，３２と接触して、前記ミラー支持部材３３，３６に対する前記ミラー３１，３２の位置決めを行う接触部３３３，３９を有するとともに、前記接触部３３３，３９が前記ミラー３１，３２の前記反射面３１Ｒ，３２Ｒ側と接触している。【選択図】図２
2013080168.tif 000002
【特許請求の範囲】
【請求項１】
撮影光学系から入射する被写体光を所定方向に導くための反射面を有するミラーと、
前記ミラーを保持した状態で前記カメラ筐体に対して揺動し、前記ミラーを前記被写体光の光路内と光路外との間で移動させるミラー支持部材と、を備え、
前記ミラー支持部材は、前記ミラーと接触して、前記ミラー支持部材に対する前記ミラーの位置決めを行う接触部を有するとともに、前記接触部が前記ミラーの前記反射面側と接触していること、
を特徴とするカメラ。
【請求項２】
請求項１に記載のカメラであって、
前記ミラーが、前記被写体光をファインダ光学系へ導くためのミラーであること、
を特徴とするカメラ。
【請求項３】
請求項１または請求項２に記載のカメラであって、
前記ミラーが、前記被写体光を測距部へ導くためのミラーであること、
を特徴とするカメラ。
【請求項４】
請求項１〜３のいずれか１項に記載のカメラであって、
前記接触部と前記ミラーの反射面との接触を確保するために、前記ミラーを前記接触部側に押圧する押圧部材を有すること、
を特徴とするカメラ。
【請求項５】
請求項１〜４のいずれか１項に記載のカメラであって、
前記ミラーの前記反射面側が、前記ミラー支持部材に接着されていること、
を特徴とするカメラ。
【請求項６】
請求項１〜５のいずれか１項に記載のカメラであって、
前記ミラーの端面は、前記ミラー支持部材によって覆われていること、
を特徴とするカメラ。
【発明の詳細な説明】
【技術分野】
【０００１】
本発明は、被写体光を所定方向に導くミラーを備えるカメラに関するものである。
【背景技術】
【０００２】
一眼レフカメラにおいては、クイックリターンミラーを備え、メインミラーで反射された光をファインダ光学系へ導き、またサブミラーで反射された光を焦点検出部へと導いている。従来、これらのミラーは、反射面の裏面が支持部材によって支持され、当該裏面が位置決めの基準とされている（たとえば、特許文献１参照）。
【先行技術文献】
【特許文献】
【０００３】
【特許文献１】特開昭６１−８０１０１号公報
【発明の概要】
【発明が解決しようとする課題】
【０００４】
しかし、上記従来技術によると、ミラーの表面の位置が重要であるにもかかわらず、ミラーの裏面が位置決めの基準とされているため、ミラーの厚さの公差が位置決めに影響するという問題がある。
【０００５】
本発明の課題は、ミラーを精度よくかつ簡単に位置決め可能なカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮影光学系（２１）から入射する被写体光を所定方向に導くための反射面（３１Ｒ，３２Ｒ）を有するミラー（３１，３２）と、前記ミラー（３１，３２）を保持した状態で前記カメラ筐体（１０）に対して揺動し、前記ミラー（３１，３２）を前記被写体光の光路内と光路外との間で移動させるミラー支持部材（３３，３８）と、を備え、前記ミラー支持部材（３３，３８）は、前記ミラー（３１，３２）と接触して、前記ミラー支持部材（３３，３８）に対する前記ミラー（３１，３２）の位置決めを行う接触部（３３３，３９）を有するとともに、前記接触部（３３３，３９）が前記ミラー（３１，３２）の前記反射面（３１Ｒ，３２Ｒ）側と接触していること、を特徴とするカメラ（１）である。
請求項２に記載の発明は、請求項１に記載のカメラ（１）であって、前記ミラー（３１）が、前記被写体光をファインダ光学系（１４）へ導くためのミラー（３１）であること、を特徴とするカメラ（１）である。
請求項３に記載の発明は、請求項１または請求項２に記載のカメラ（１）であって、前記ミラー（３２）が、前記被写体光を測距部（１５）へ導くためのミラー（３２）であること、を特徴とするカメラ（１）である。
請求項４に記載の発明は、請求項１〜３のいずれか１項に記載のカメラ（１）であって、前記接触部（３３３，３９）と前記ミラー（３１，３２）の反射面（３１Ｒ，３２Ｒ）との接触を確保するために、前記ミラー（３１，３２）を前記接触部（３３３，３９）側に押圧する押圧部材（４２，４４）を有すること、を特徴とするカメラ（１）である。
請求項５に記載の発明は、請求項１〜４のいずれか１項に記載のカメラ（１）であって、前記ミラー（３１，３２）の前記反射面（３１Ｒ，３２Ｒ）側が、前記ミラー支持部材（３３，３８）に接着されていること、を特徴とするカメラ（１）である。
請求項６に記載の発明は、請求項１〜５のいずれか１項に記載のカメラ（１）であって、前記ミラー（３１，３２）の端面は、前記ミラー支持部材（３３，３８）によって覆われていることを特徴とするカメラ（１）である。
なお、符号を付して説明した構成は、適宜改良してもよく、また、少なくとも一部を他の構成物に代替してもよい。
【発明の効果】
【０００８】
本発明によれば、ミラーを精度よくかつ簡単に位置決め可能なカメラを提供することができる。
【図面の簡単な説明】
【０００９】
【図１】本発明の一実施形態を適用したカメラ１を概念的に示す図である。
【図２】作用位置と退避位置とにあるミラー部を重ねて示す拡大断面図である。
【図３】ミラーフレームの断面図であって、（ａ）はメインミラーが装着された状態，（ｂ）はミラーフレーム単独の状態を示す。
【図４】図３（ａ）におけるＡ矢視図に相当するミラーフレームを前面側から見た図である。
【図５】図３（ａ）におけるＢ矢視図に相当するミラーフレームを背面側から見た図である。
【図６】メインミラーが固定具と押圧シートとによって装着された第２実施形態のミラーフレームの断面図である。
【図７】図６に示すミラーフレームを前面側から見た図である。
【図８】メインミラーが固定具と板バネとによって装着された状態のミラーフレームの断面図である。
【図９】図８における固定具を前面側から見た図である。
【図１０】作用位置と退避位置とにある第３実施形態のミラー部を重ねて示す拡大図である。
【図１１】サブミラーが装着されたサブミラー保持部材を前面側から見た図である。
【図１２】図１１のＣ−Ｃ断面図である。
【図１３】比較例としての従来構成のミラー部を示す図である。
【発明を実施するための形態】
【００１０】
（第１実施形態）
以下、図面等を参照して、本発明の第１実施形態について説明する。
以下に示す各図には、説明と理解を容易にするために、適宜ＸＹＺ直交座標系を設けた。この座標系では、撮影者が光軸ＯＡを水平として横長の画像を撮影する場合のカメラの位置（以下、通常の撮影位置という）において撮影者から見て左側に向かう方向をＸプラス方向，通常の撮影位置において上側に向かう方向をＹプラス方向，被写体に向かう方向をＺプラス方向とする。また、Ｚプラス方向を前面側、これと反対方向を背面側ともいう。
【００１１】
図１は、本発明の第１実施形態を適用したカメラ１を概念的に示す図である。図１に示すカメラ１は、カメラ本体（筐体）１０と、撮影レンズ２０と、を備えるデジタル一眼レフカメラである。撮影レンズ２０は、撮影光学系２１を備え、カメラ本体１０に着脱可能となっている。
カメラ本体１０は、その内部に、撮像部１１と、シャッター１２と、ミラー部３０と、ファインダー部１４と、焦点検出部１５と、を備えている。
【００１２】
撮像部１１は、光学的な被写体像を電気信号に変換する撮像素子１１Ａを備えている。撮像素子１１Ａは、複数の画素（電荷蓄積型光電変換素子）が二次元状に配置されたＣＣＤやＣＭＯＳセンサである。
シャッター１２は、撮像部１１の前面側に配設されており、開閉して撮像部１１（撮像素子１１Ａ）の露光時間を制御する。
【００１３】
ミラー部３０は、メインミラー３１と、その背面に設けられたサブミラー３２と、を備えている。
メインミラー３１は、被写体光をファインダー部１４に反射する反射鏡であって、中心付近がハーフミラーとして構成されている。メインミラー３１は、Ｘ軸と平行な支持軸３４によって揺動可能に支持されている。メインミラー３１は、図示しないミラー揺動機構によって駆動されて、撮影レンズ２０から撮像部１１に至る被写体光の光路中に介在する図１中実線で示す作用位置（ミラーダウン位置）と、光路中から退避して被写体光の撮像部１１への入射を妨げない図中二点鎖線で示す退避位置（ミラーアップ位置）との間で揺動する。
【００１４】
サブミラー３２は、メインミラー３１におけるハーフミラー部位の背面側に、Ｘ軸と平行なサブ支持軸３７によって揺動可能に支持されている。サブミラー３２は、図示しない連動操作機構によってメインミラー３１の揺動に連動して揺動する。サブミラー３２は、メインミラー３１が作用位置にある場合、そのハーフミラー部位を透過した被写体光を下側の焦点検出部１５に向けて反射させる姿勢となり、メインミラー３１が退避位置にある場合、メインミラー３１に沿った退避姿勢となる。
【００１５】
そして、ミラー部３０は、メインミラー３１が、作用位置の場合、被写体光を上方（Ｙ軸プラス方向）に反射屈曲させてファインダー部１４に向けて導く。サブミラー３２は、メインミラー３１が作用位置の場合、そのハーフミラー部位を透過した被写体光を焦点検出部１５に向けて導く。このミラー部３０については、後に詳述する。
【００１６】
ファインダー部１４は、撮影レンズ２０による被写体像が結像するフォーカシングスクリーン１４Ａと、ペンタプリズム１４Ｂと、接眼レンズ１４Ｃと、を備えている。
ファインダー部１４は、撮影待機状態において、クイックリターンミラー１３によって反射された光束が、フォーカシングスクリーン１４Ａに結像する。この像は、ペンタプリズム１４Ｂ、接眼レンズ１４Ｃを介して撮影者に観察される。
【００１７】
焦点検出部１５には、ミラー部３０におけるメインミラー３１のハーフミラー部位を透過した被写体光の一部が、サブミラー３２によって反射されて入射する。焦点検出部１５は、測距モジュールが被写体光の位相差を検出し、合焦制御情報としてカメラ１の図示しない制御部に出力する。
【００１８】
そして、カメラ１は、図示しない制御部に制御されて、撮影時には下記のように作用する。
すなわち、カメラ本体１０が備える図示しないシャッターボタンが押圧操作（レリーズ操作）されると、ミラー部３０におけるメインミラー３１が退避位置に移動する。シャッター１２は、レリーズ操作に応じて開閉し、撮像部１１の撮像素子１１Ａに被写体光を所定時間露光させる。撮像素子１１Ａは、被写体光を電気信号に変換して撮像する。撮像素子１１Ａによって撮像された撮像データは、図示しない記録部に記録される。これによって、撮影が行われる。
【００１９】
つぎに、本発明の一実施形態を適用したミラー部３０について、前述した図１に加えて図２〜図５を参照して詳細に説明する。図２は、作用位置（ミラーダウン）ＭＤと退避位置（ミラーアップ）ＭＵとにあるミラー部３０を重ねて示す拡大断面図である。図３は、ミラー支持部材３３の断面図であって、（ａ）はメインミラー３１が装着された状態，（ｂ）はミラー支持部材３３単独の状態を示す。図４は、図３（ａ）におけるＡ矢視図に相当するミラー支持部材３３を前面側から見た図である。図５は、図３（ａ）におけるＢ矢視図に相当するミラー支持部材３３を背面側から見た図である。
なお、以下の説明において、作用位置ＭＤにおいて被写体光が入射する側を前面側、その裏面の撮像部１１と対向する側を背面側、揺動支点である支持軸３４に近い側を上側、遠い側を下側と呼ぶ。
【００２０】
ミラー部３０は、前述したように、メインミラー３１と、サブミラー３２と、を備えている。
メインミラー３１は、所定厚さのガラス板であり、一方の面が反射面３１Ｒとなっている。反射面３１Ｒの中央所定範囲には、矩形のハーフミラー部３１Ｈが形成されている。
【００２１】
メインミラー３１は、ミラー支持部材３３に保持されており、このミラー支持部材３３が、支持軸３４を介してカメラ本体１０の図示しないシャーシに揺動可能に装着されている。そして、ミラー支持部材３３が図示しないミラー揺動機構に駆動されて、図２に示すように、作用位置ＭＤと退避位置ＭＵとの間で揺動する。この構成では、メインミラー３１のカメラ本体１０に対する配置の位置精度は、メインミラー３１のミラー支持部材３３への装着精度と、ミラー支持部材３３の支持軸３４を介したカメラ本体１０への装着精度とが複合したものとなる。
ミラー支持部材３３（メインミラー３１）の位置規定は、作用位置ＭＤではダウン側受けピン３５によって行われ、退避位置ＭＵでは図示しないアップ側受けピンによって行われるようになっている。
【００２２】
ミラー支持部材３３は、メインミラー３１に対応する矩形の箱体３３０と、支持体３４０とを備えている。
箱体３３０は、メインミラー３１と対応する矩形の枠板部３３１と、その４辺（上辺，下辺，右側辺，左側辺）の背面側に設けられた、それぞれ所定高さの側板部（３３２Ｕ，３３２Ｄ，３３２Ｒ，３３２Ｌ）とを備えている。枠板部３３１の中央には、メインミラー３１の反射面３１Ｒが露出する開口部３３１Ａが形成されている。すなわち、箱体３３０は、メインミラー３１の周囲４辺を、断面形状Ｌ字状の部材で縁取るような形状に形成されている。側板部（３３２Ｕ，３３２Ｄ，３３２Ｒ，３３２Ｌ）の高さは、少なくともメインミラー３１の厚さ以上に設定されている。
また、箱体３３０の右側板部３３２Ｒの下端近傍には、ダウン側受けピン３５に当接してミラー支持部材３３（メインミラー３１）を作用位置に規定するストッパ部３３４が、側方に突設されている。
【００２３】
箱体３３０における左右側辺の側板部３３２Ｒ，３３２Ｌには、それぞれ外面に支持体３４０がカシメピン３４２によって固定されている。この支持体３４０の上端は箱体３３０の上辺より上側に突出しており、ここに支持孔３４３が形成されている。
【００２４】
ここで、箱体３３０における枠板部３３１には、その背面側の、右側辺および左側辺の上辺近傍と、下辺の中央、の計３箇所に、位置決め凸部３３３が形成されている。
位置決め凸部３３３は、平面形状が所定径の円形であって、プレス加工等によって枠板部３３１の外面から背面側に突出形成されている。図３（ｂ）に示す、支持体３４０の支持孔３４３の中心から、位置決め凸部３３３の上面までの枠板部３３１と直交する方向における距離ｄは、所定の精度に設定されている。
なお、位置決め凸部３３３の配設位置はこの例に限らず適宜変更可能なであり、その数も４箇所以上としても良い。
【００２５】
メインミラー３１は、上記のように形成されたミラー支持部材３３の背面側（側板部３３２Ｕ，３３２Ｄ，３３２Ｒ，３３２Ｌの内部）に、反射面３１Ｒを前面側に向けた姿勢で、接着剤３５０によって固定されている。メインミラー３１の反射面３１Ｒは、ミラー支持部材３３における位置決め凸部３３３に当接してミラー支持部材３３に対して位置決めされている。図５に示すように、接着剤３５０は、位置決め凸部３３３を除く、枠板部３３１の左右側辺部位および下辺部位と、対向する反射面３１Ｒの部位とを接着している。
これにより、メインミラー３１は、支持体３４０における支持孔３４３の中心から、反射面３１Ｒまでの枠板部３３１と直交する方向における距離が、距離ｄに所定の精度で規定されて、ミラー支持部材３３に装着されている。
【００２６】
サブミラー３２は、サブミラー保持部材３６に支持されている。サブミラー３２は、所定厚さのガラス板であり、一方の面が反射面３２Ｒとなっている。
サブミラー保持部材３６は、サブ支持軸３７でミラー支持部材３３に揺動可能に支持されている。サブミラー保持部材３６は、図示しない連動操作機構によってサブミラー保持部材３６（メインミラー３１）の揺動に連動して揺動し、メインミラー３１が作用位置ＭＤでは、そのハーフミラー部３１Ｈを透過した被写体光を焦点検出部１５（図２には示さず、図１参照）に向けて反射させる作用姿勢となり、メインミラー３１が退避位置ＭＵでは、メインミラー３１に沿った退避姿勢となる。
【００２７】
第１実施形態によると、以下の効果を有する。
（１）第１実施形態におけるミラー部３０は、メインミラー３１の反射面３１Ｒが、ミラー支持部材３３の位置決め凸部３３３に当接して、ミラー支持部材３３に対して位置決めされて装着されている。これにより、ミラーの厚さに関係することなく、メインミラー３１の反射面３１Ｒを、ミラー支持部材３３に対して高い位置精度に設定することができる。
また、このようにメインミラー３１の反射面３１Ｒを、ミラー支持部材３３に対して高い位置精度に設定することができため、メインミラー３１の設置位置誤差に起因するファインダー部１４におけるパララックス（ファインダー画面と実際の撮影範囲との差）を小さくすることができる。このため、ミラー支持部材３３（メインミラー３１）の位置調整構造を省略しても高い視野率のファインダーを構成することが可能となる。また、ミラー支持部材３３（メインミラー３１）の位置調整構造を備える構成であっても調整範囲（調整代）を小さくできる。その結果、精度の高いファインダーを備えたカメラを小型に構成できる。
【００２８】
図１３に比較形態を示す。図１３には、本実施形態と同機能の構成要素には同符号が付してある。比較形態は、メインミラー３１をその裏面（反射面３１Ｒではない側の面）でミラー支持部材３３に位置決めして固定している。この場合、反射面３１Ｒの位置精度はメインミラー３１の厚さ精度に依存することとなる。
このため、反射面３１Ｒの位置精度を向上させるためにはメインミラー３１の厚さを高い精度に形成しなければならない。
その結果、メインミラー３１に反射面の平面精度以外に光学性能とは関係のない厚さの寸法精度も要求されることとなる。また、特に高い視野率が要求される場合にはミラー支持部材３３（メインミラー３１）を広い範囲で位置調整する構造が不可欠となって、コストアップおよびカメラの大型化を招く。これに対して本実施形態の構成では、このような不具合を解消することができる。
【００２９】
（２）本実施形態では、ミラー支持部材３３の周囲には側板部（３３２Ｕ，３３２Ｄ，３３２Ｒ，３３２Ｌ）が立設され、メインミラー３１はその内側に配設される。このため、特に先端部分（下端縁）においてメインミラー３１の端面が側板部によって覆われ、光学性能に影響のないエッジの微小な傷（ピリや欠け）が外部から隠蔽される。その結果、メインミラー３１に対する品質レベルの要求を緩和でき、歩留まりの向上によってコストダウンが可能となる。
【００３０】
（３）さらに、ミラー支持部材３３はメインミラー３１の背面側にはないため、退避位置にＭＵにおいて、図２中二点鎖線で示す従来配置に比較して、サブミラー３２をメインミラー３１に近接させることができる。
これにより、退避位置ＭＵにおいて被写体光の光路にメインミラー３１およびサブミラー３２を近接させた配置が可能となる。
また、作用位置ＭＤにおけるサブミラー３２の位置が前面側に移動するため、ミラー部３０を撮像部１１（図１参照）により接近させて配置することができる。その結果、カメラの小型化が可能となる。
【００３１】
（第２実施形態）
つぎに、図６〜図９に示す、本発明に係る第２実施形態を説明する。
図６は、メインミラー３１が押圧板４１と押圧シート４２とによって装着された状態のミラー支持部材３３の断面図である。図７は、図６におけるミラー支持部材３３を前面側から見た図である。図８は、メインミラー３１が押圧板４１と板バネ４４とによって装着された状態のミラー支持部材３３の断面図である。図９は、図８に示す押圧板４１を前面側から見た図である。
【００３２】
第２実施形態は、メインミラー３１のミラー支持部材３３への装着構造が、前述の第１実施形態とは異なり、メインミラー３１を押圧部材によって位置決め凸部３３３に押圧してミラー支持部材３３に装着するものである。この装着構造を除く他の構成は、第１実施形態と同様である。このため、第１実施形態と同機能の構成要素には同符号を付して説明は省略する。
【００３３】
第２実施形態の箱体３３０は、第１実施形態と同様に、メインミラー３１と対応する矩形の枠板部３３１と、その４辺（上辺，下辺，右側辺，左側辺）の背面側に設けられた、それぞれ所定高さの側板部（３３２Ｕ，３３２Ｄ，３３２Ｒ，３３２Ｌ）とを備えている。
そして、第２実施形態においてミラー保持部材３３は、さらに、メインミラー３１の下面を覆う押圧板４１を備えている。
【００３４】
押圧板４１は、枠板部３３１における側板部３３２で囲まれた内側の部分と略同形の矩形であるが、上部側板部３３２Ｕが設けられている上端縁部では、その上部側板部３３２Ｕを越えてその外側まで延びている。そして、押圧板４１の上端縁部は、略直角に折り曲げられて、枠板部３３１の上部側板部３３２Ｕの外側面と重なる壁部４１Ｄを形成し、壁部４１Ｄと、上部側板部３３２Ｕとはネジ４３で固定されている。
押圧板４１の中央部には、メインミラー３１のハーフミラー部３１Ｈと対応する矩形の透光開口部４１Ｃが形成されている。
【００３５】
押圧シート４２は、ウレタンスポンジ等の弾性を有する素材によって形成されている。押圧シート４２は、下部側板部３３１Ｄおよび左右側板部３３２Ｒ、３３２Ｌの内側において、メインミラー３１と押圧板４１との間に略Ｕ字状に配置されている。
押圧シート４２は、厚さ方向に圧縮変形し、押圧シート４２の弾性復帰力によってメインミラー３１をミラー支持部材３３の位置決め凸部３３３に押圧付勢し、メインミラー３１をミラー支持部材３３に装着している。
【００３６】
図８および図９に示す構成は、押圧部材として板バネ４４を用いたものである。
図８はメインミラーが固定具と板バネとによって装着された状態のミラーフレームの断面図である。図９は図８における固定具を前面側から見た図である。板バネ４４は、ステンレス合金鋼等の弾性を有する薄板状の素材によって、押圧板４１の左右側辺の枠部分と略対応する幅および長さに形成されている。板バネ４４の側面形状は、中央の装着部４４Ａの両端に、それぞれ所定角度を成して延設された押圧部４４Ｂを備えた形状となっている。
【００３７】
板バネ４４は、押圧板４１の左右両側辺に沿って配置され、装着部４４Ａを貫通する固定ピン４５によって固定されている。
そして、板バネ４４は、メインミラー３１と押圧板４１との間に、その押圧部４４Ｂが弾性変形して介在するようになっている。これにより、板バネ４４は、その押圧部４４Ｂがその弾性復帰力でメインミラー３１をミラー支持部材３３の位置決め凸部３３３に押圧付勢し、メインミラー３１をミラー支持部材３３に装着する。
【００３８】
以上、本第２実施形態によると、以下の効果を有する。
（１）第２実施形態では、メインミラー３１と押圧板４１との間に介設された押圧シート４２または板バネ４４が、メインミラー３１を、位置決め凸部３３３に押圧してミラー支持部材３３に装着する。このため、ミラー支持部材３３の揺動等の外力の作用によるメインミラー３１の脱落を防ぐことができ、高い信頼性が得られるものである。
【００３９】
（第３実施形態）
つぎに、図１０〜図１２に示す、本発明をミラー部３０′におけるサブミラー３２に適用した第３実施形態を説明する。
図１０は、作用位置ＭＤと退避位置ＭＵとにある第３実施形態のミラー部３０′を重ねて示す拡大図である。図１１は、サブミラー３２が装着されたサブミラー支持部材３８を前面側から見た図である。図１２は、図１１のＣ−Ｃ断面図である。なお、前述の実施形態と同機能の構成要素には同符号を付して説明は省略する。
【００４０】
第３実施形態におけるミラー部３０′は、メインミラー３１を支持するミラー支持部材３３′の背面側に、サブミラー３２がサブミラー支持部材３８に支持されて設けられている。サブミラー支持部材３８は、サブ支持軸３７でミラー支持部材３３に揺動可能に支持されている。
メインミラー３１は、ミラー支持部材３３′の前面側に装着されている。なお、前述した実施形態と同様にメインミラー３１をミラーフレームの背面側に装着した構成であっても良い。
【００４１】
サブミラー３２は、所定厚さのガラス板の一方の面に、反射面３２Ｒが形成されている。
サブミラー支持部材３８は、枠部３８１の左右両辺部に支持部３８２を備えている。
枠部３８１は、ミラー支持部材３３′の幅と略対応する矩形状で、上辺には所定高さの補強縁３８１Ａが屈曲形成され、中央に矩形の開口部３８１Ｂが形成されている。
支持部３８２は、枠部３８１の左右両辺部が、前面側に向けて板面に対して直角に屈曲されて形成されており、その上端部にピン状のサブ支持軸３７が植設されている。サブ支持軸３７は、ミラー支持部材３３′に回動可能に係合し、これによってサブミラー支持部材３８がミラー支持部材３３′に揺動可能に支持されるようになっている。
【００４２】
ここで、枠部３８１の背面は、サブミラー３２が位置決め装着される接触面３９となっており、枠部３８１と直交する方向における、サブ支持軸３７の中心から接触面３９までの距離は、所定の精度に設定されている。
サブミラー３２は、反射面３２Ｒを前面側に向けて、サブミラー支持部材３８における接触面３９に接着剤等によって装着されている。サブミラー３２の反射面３２Ｒは、開口部３８１Ｂを介して前面側に露出する。
【００４３】
そして、サブミラー支持部材３８は、図示しない連動操作機構によってメインミラー３１（ミラー支持部材３３′）の揺動に連動して揺動し、図１０に示すように、メインミラー３１が作用位置ＭＤでは、そのハーフミラー部を透過した被写体光を焦点検出部１５（図１０には示さず、図１参照）に向けて反射させる作用姿勢となり、メインミラー３１が退避位置ＭＵでは、メインミラー３１に沿った退避姿勢となる。
【００４４】
以上、第３実施形態によると、以下の効果を有する。
（１）第３実施形態におけるミラー部３０′は、サブミラー３２の反射面３２Ｒが、サブミラー支持部材３８における接触面３９に位置決めされて装着されている。
これにより、サブミラー３２の反射面３２Ｒを、サブミラー支持部材３８に対して高い位置精度に設定することができ、サブミラー３２（反射面３２Ｒ）の設置位置誤差に起因する被写体光の焦点検出部１５への入射位置の変位を小さくすることができる。このため、ファインダー部１４における合焦フレームと実際の合焦位置とを高い精度で一致させることができ、焦点検出部１５の位置調整構造における調整範囲を小さくできる。その結果、カメラの小型化に寄与できる。また、合焦フレームを小さな配設ピッチで多点化することが可能となる。
【００４５】
（変形形態）
以上、説明した実施形態に限定されることなく、以下に示すような種々の変形や変更が可能であり、それらも本発明の範囲内である。
（１）上記第１実施形態および第２実施形態はミラー部におけるメインミラーの装着部位に、第３実施形態はサブミラーの装着部位に、それぞれ本発明を適用した例であるが、本発明は何れか一方のミラーのみに限定されるものではなく、同一のミラー部の両方のミラーに適用しても良い。
【００４６】
（２）上記実施形態は、本発明をデジタル一眼レフカメラに適用したものであるが、本発明はこれに限らず、フィルムを用いるいわゆる銀塩カメラに適用しても良い。
なお、実施形態及び変形形態は、適宜組み合わせて用いることもできるが、詳細な説明は省略する。また、本発明は以上説明した実施形態によって限定されることはない。
【符号の説明】
【００４７】
１：カメラ、１０：カメラ本体、１１Ａ：撮像素子、１５；焦点検出部、２０：撮影レンズ、２１：結像光学系、３０，３０′：ミラー部、３１：メインミラー、３１Ｒ：反射面、３１Ｈ：ハーフミラー部、３２：サブミラー、３３，３３′：ミラー保持部材、３３０：箱体、３３３：位置決め凸部、３４０：支持体、３５０：接着剤、３４：支持軸、３７：サブ支持軸、３９：接触面、４１：押圧板、４２：押圧シート、４４：板バネ、３８：サブミラー支持部材、３８１：枠部
【図１】
2013080168.tif 000003
【図２】
2013080168.tif 000004
【図３】
2013080168.tif 000005
【図４】
2013080168.tif 000006
【図５】
2013080168.tif 000007
【図６】
2013080168.tif 000008
【図７】
2013080168.tif 000009
【図８】
2013080168.tif 000010
【図９】
2013080168.tif 000011
【図１０】
2013080168.tif 000012
【図１１】
2013080168.tif 000013
【図１２】
2013080168.tif 000014
【図１３】
2013080168.tif 000015